(57)【特許請求の範囲】
【請求項１】
２ｎチャンネル（ただし、ｎは整数）の音響信号の各々に対し、音特性を制御する信号処理を施す２ｎチャンネルのチャンネル処理部と、
前記２ｎチャンネルのチャンネル処理部の各々について、前記信号処理を制御する複数のパラメータを記憶したカレントメモリと、
表示器と、
前記表示器と近接し、かつ、該表示器に対して操作者と対向する位置に配置された第１および第２のｃｈストリップ部であって、前記２ｎチャンネルのうちのｎチャンネルが第１のｃｈストリップ部のｎ個のｃｈストリップに対応付けられ、残りのｎチャンネルが第２のｃｈストリップ部のｎ個のｃｈストリップに対応付けられており、かつ、各ｃｈストリップは、少なくとも、１つのノブと１つのエディットボタンとを含む前記第１および第２のｃｈストリップ部と、
制御部と
を備える音響信号処理装置において、
前記表示器は、前記２ｎチャンネルのパラメータを表示するｃｈストリップ画面、何れか１のチャンネルの２ｎ個のパラメータを表示する１_ｃｈ画面、および何れか２のチャンネルの各ｎ個のパラメータを表示する２_ｃｈ画面のうちの１つを選択的に表示可能であり、かつ、
前記制御部は、
（１）前記表示器に、前記２ｎチャンネルのパラメータを表示する前記ｃｈストリップ画面が表示されているときは、
各チャンネルの１のパラメータを、そのチャンネルに対応する第１ないし第２ｃｈストリップ部の各ｃｈストリップの前記ノブに割り当て、
何れか１のチャンネルに対応する１のｃｈストリップの前記ノブの操作に応じて、前記カレントメモリに記憶されている当該チャンネルのパラメータのうちの、前記ノブに割り当てられたパラメータの値を増減し、
何れか１のチャンネルに対応する１のｃｈストリップの前記エディットボタンの単独操作に応じて、当該１のチャンネルの２ｎ個のパラメータを表示する前記１_ｃｈ画面を表示するよう、前記表示器を制御し、
何れか２のチャンネルに対応する２のｃｈストリップの前記エディットボタンの同時操作に応じて、当該２のチャンネルの各ｎ個のパラメータを表示する前記２_ｃｈ画面を表示するよう、前記表示器を制御し、
（２）前記表示器に、あるチャンネルの２ｎ個のパラメータを表示する前記１_ｃｈ画面が表示されているときは、
前記あるチャンネルの２ｎ個のパラメータを、前記第１および第２のｃｈストリップ部の計２ｎ個のｃｈストリップの前記ノブに割り当て、
各ｃｈストリップの前記ノブの操作に応じて、前記カレントメモリに記憶されている前記あるチャンネルのパラメータのうちの、当該ノブに割り当てられたパラメータの値を増減し、
何れか２のチャンネルに対応する２のｃｈストリップの前記エディットボタンの同時操作に応じて、当該２のチャンネルの各ｎ個のパラメータを表示する前記２_ｃｈ画面を表示するよう、前記表示器を制御し、
前記あるチャンネルに対応するｃｈストリップの前記エディットボタンの操作に応じて、前記２ｎチャンネルのパラメータを表示するｃｈストリップ画面を表示するよう、前記表示器を制御し、
（３）前記表示器に、ある２チャンネルの各ｎ個のパラメータを表示する前記２_ｃｈ画面が表示されているときは、
前記ある２チャンネルの一方のチャンネルのｎ個のパラメータを、前記第１ｃｈストリップ部のｎ個のｃｈストリップの前記ノブに、他方のチャンネルのｎ個のパラメータを、前記第２ｃｈストリップ部のｎ個のｃｈストリップの前記ノブに、それぞれ割り当て、
前記第１ｃｈストリップ部の各ｃｈストリップの前記ノブの操作に応じて、前記カレントメモリに記憶されている前記一方のチャンネルのパラメータのうちの、当該ノブに割り当てられたパラメータの値を増減し、
前記第２ｃｈストリップ部の各ｃｈストリップの前記ノブの操作に応じて、前記カレントメモリに記憶されている前記他方のチャンネルのパラメータのうちの、当該ノブに割り当てられたパラメータの値を増減し、
前記ある２チャンネル以外の何れか１のｃｈに対応するｃｈストリップの前記エディットボタンの操作に応じて、当該１のｃｈの２ｎ個のパラメータを表示する前記１_ｃｈ画面を表示するよう、前記表示器を制御し、
前記ある２チャンネルの何れかに対応するｃｈストリップの前記エディットボタンの操作に応じて、前記２ｎチャンネルのパラメータを表示するｃｈストリップ画面を表示するよう、前記表示器を制御する
ことを特徴とする音響信号処理装置。
【請求項２】
請求項１に記載の音響信号処理装置において、
前記制御部は、
（２）前記表示器に、あるチャンネルの２ｎ個のパラメータを表示する前記１_ｃｈ画面が表示されているときは、
前記あるチャンネル以外の何れか１のチャンネルに対応するｃｈストリップの前記エディットボタンの操作に応じて、当該１のチャンネルの２ｎ個のパラメータを表示する前記１_ｃｈ画面を表示するよう、前記表示器を制御する
ことを特徴とする音響信号処理装置。
【請求項３】
請求項１に記載の音響信号処理装置において、
前記制御部は、
（３）前記表示器に、ある２チャンネルの各ｎ個のパラメータを表示する前記２_ｃｈ画面が表示されているときは、
何れか２のチャンネルに対応する２のｃｈストリップの前記エディットボタンの同時操作に応じて、当該２のチャンネルの各ｎ個のパラメータを表示する前記２_ｃｈ画面を表示するよう、前記表示器を制御する
ことを特徴とする音響信号処理装置。
【請求項４】
複数の音響信号の各々に対して、カレントメモリに各チャンネル毎に記憶されているパラメータに基づいて信号処理を施す複数チャンネルのチャンネル処理部と、
表示器と、
複数のｃｈストリップを備えたｃｈストリップ部であって、１つのｃｈストリップは少なくとも１つのノブと１つのエディットボタンとを含む操作子を有し、各ｃｈストリップにそれぞれ前記チャンネル処理部のチャンネルを割り当てて、該ｃｈストリップの操作子を操作することで該ｃｈストリップに割り当てられたチャンネルのパラメータを調整できるとともに、それら複数のｃｈストリップは第１グループと第２グループとに分けられている、ｃｈストリップ部と、
制御部と
を備える音響信号処理装置において、
前記表示器は、前記ｃｈストリップ部の複数のｃｈストリップに割り当てられた全てのｃｈのパラメータの設定状態を一覧表示するｃｈストリップ画面、何れか１のチャンネルの複数のパラメータを表示する１_ｃｈ画面、何れか２のチャンネルのそれぞれの複数のパラメータを表示する２_ｃｈ画面のうちの１つを選択的に表示可能であり、かつ、
前記制御部は、
（１）前記表示器に、前記ｃｈストリップ画面が表示されているときは、
各チャンネルの１のパラメータを前記ｃｈストリップ部の各ｃｈストリップのノブに割り当て、該ノブの操作により、割り当てられたパラメータの値を増減し、
何れか１のｃｈストリップのエディットボタンの単独操作に応じて、そのｃｈストリップに割り当てられた１のｃｈの複数のパラメータを表示する１_ｃｈ画面を表示するよう、前記表示器を制御し、
何れか２のｃｈストリップのエディットボタンの同時操作に応じて、それらのｃｈストリップに割り当てられた２のｃｈのそれぞれの複数のパラメータを表示する２_ｃｈ画面を表示するよう、前記表示器を制御し、
（２）前記表示器に、前記１_ｃｈ画面が表示されているときは、
その１_ｃｈ画面で表示している前記１のｃｈの複数のパラメータのそれぞれを前記ｃｈストリップ部の各ｃｈストリップのノブに割り当て、該ノブの操作により、割り当てられたパラメータの値を増減し、
その１_ｃｈ画面で表示している前記１のｃｈが割り当てられているｃｈストリップのエディットボタンの操作に応じて、前記ｃｈストリップ画面を表示するよう、前記表示器を制御し、
何れか２のｃｈストリップのエディットボタンの同時操作に応じて、それらのｃｈストリップに割り当てられた２のｃｈのそれぞれの複数のパラメータを表示する２_ｃｈ画面を表示するよう、前記表示器を制御し、
（３）前記表示器に、前記２_ｃｈ画面が表示されているときは、
その２_ｃｈ画面で表示している前記２のｃｈのうち、一方のｃｈの複数のパラメータのそれぞれを前記ｃｈストリップ部の第１グループの各ｃｈストリップのノブに割り当て、該ノブの操作により、割り当てられたパラメータの値を増減し、
その２_ｃｈ画面で表示している前記２のｃｈのうち、他方のｃｈの複数のパラメータのそれぞれを前記ｃｈストリップ部の第２グループの各ｃｈストリップのノブに割り当て、該ノブの操作により、割り当てられたパラメータの値を増減し、
その２_ｃｈ画面で表示している前記２のｃｈが割り当てられているｃｈストリップの何れかのエディットボタンの操作に応じて、前記ｃｈストリップ画面を表示するよう、前記表示器を制御し、
その２_ｃｈ画面で表示している前記２のｃｈが割り当てられているｃｈストリップ以外の何れか１のｃｈストリップのエディットボタンの単独操作に応じて、そのｃｈストリップに割り当てられた１のｃｈの複数のパラメータを表示する１_ｃｈ画面を表示するよう、前記表示器を制御する
ことを特徴とする音響信号処理装置。
【発明の詳細な説明】
【技術分野】
【０００１】
この発明は、音響信号処理装置に関し、特に多数のチャンネル（ｃｈ）のパラメータ設定状況を表示した画面から、簡単な操作で１ｃｈまたは２ｃｈのパラメータ編集画面を開くことを可能とする技術に関する。
【背景技術】
【０００２】
ディジタルミキサなどの音響信号処理装置は、多くの系列の音響信号を処理するための多くのｃｈを備えている。また、それらのｃｈの種々のパラメータを表示および設定する画面としてｃｈストリップ画面が設けられている（例えば、特許文献１の図６および段落００２９〜００３６など）。ｃｈストリップ画面は、所定の複数ｃｈ（例えば８ｃｈや１６ｃｈ）分のパラメータの設定状況を一覧表示する画面である。さらに、ｃｈストリップ画面が表示されている状態から、所定の操作を行うことにより、各入力ｃｈの各構成ブロック（イコライザ、ダイナミクス等）のパラメータを細かく編集するウィンドウをポップアップで表示することができる（例えば、特許文献１の図９〜図１１）。
【０００３】
一方、従来より、音楽製作の各種の機能（例えば、ハードディスクレコーディング機能、ＭＩＤＩデータやオーディオデータの作成編集機能、ミキシング機能、シーケンサー機能など）を実現するいわゆるディジタルオーディオワークステーション（ＤＡＷ）が知られている（非特許文献１参照）。ＤＡＷは、例えば汎用のパーソナルコンピュータ（ＰＣ）に所定のソフトウェアをインストールして実行することにより実現される。ＤＡＷにおいても、複数ｃｈ分のパラメータを表示するｃｈストリップ画面が備えられており、またそのｃｈストリップ画面で表示されている何れか１のｃｈのｃｈストリップの［エディット］ボタンを操作すると、その１ｃｈのパラメータを細かく編集するためのパラメータ編集ウィンドウが開くようになっている。
【先行技術文献】
【特許文献】
【０００４】
【特許文献１】特許第４２１０９５１号公報
【０００５】
【非特許文献１】「Cubase SX/SL 徹底操作ガイド」、リットーミュージック社、２００４年７月３１日発行
【発明の概要】
【発明が解決しようとする課題】
【０００６】
上述した特許文献１のポップアップ表示されるウィンドウや非特許文献１のパラメータ編集ウィンドウでは１つのｃｈについてのパラメータを操作できるが、例えばｃｈ間のバランスをとるために２ｃｈ分のパラメータを比較しながら操作したい場合がある。ＤＡＷでは、任意のｃｈのパラメータ編集ウィンドウを同時に幾つでも表示できるものがあるが、汎用的に過ぎて、結局、操作者がマウスで複数のｃｈの各パラメータ編集ウィンドウを見やすいように配置して操作する必要があり、操作が煩雑である。そこで、もっと簡単な操作で、複数ｃｈのパラメータ設定状況を表示するｃｈストリップ画面と、任意の１ｃｈのパラメータ編集画面と、任意の２ｃｈのパラメータ編集画面とを切り替えることができるようにしたいという要求がある。
【０００７】
本発明は、音響信号処理装置において、多数のｃｈのパラメータ設定状況を表示した画面から、簡単な操作で１ｃｈまたは２ｃｈのパラメータ編集画面を開き、また切り替えることができるようにすることを目的とする。
【課題を解決するための手段】
【０００８】
上記目的を達成するため、請求項１に係る発明は、２ｎチャンネル（ただし、ｎは整数）の音響信号の各々に対し、音特性を制御する信号処理を施す２ｎチャンネルのチャンネル処理部と、前記２ｎチャンネルのチャンネル処理部の各々について、前記信号処理を制御する複数のパラメータを記憶したカレントメモリと、表示器と、前記表示器と近接し、かつ、該表示器に対して操作者と対向する位置に配置された第１および第２のｃｈストリップ部であって、前記２ｎチャンネルのうちのｎチャンネルが第１のｃｈストリップ部のｎ個のｃｈストリップに対応付けられ、残りのｎチャンネルが第２のｃｈストリップ部のｎ個のｃｈストリップに対応付けられており、かつ、各ｃｈストリップは、少なくとも、１つのノブと１つのエディットボタンとを含む前記第１および第２のｃｈストリップ部と、制御部とを備える音響信号処理装置において、前記表示器は、前記２ｎチャンネルのパラメータを表示するｃｈストリップ画面、何れか１のチャンネルの２ｎ個のパラメータを表示する１_ｃｈ画面、および何れか２のチャンネルの各ｎ個のパラメータを表示する２_ｃｈ画面のうちの１つを選択的に表示可能であり、かつ、前記制御部は、（１）前記表示器に、前記２ｎチャンネルのパラメータを表示する前記ｃｈストリップ画面が表示されているときは、各チャンネルの１のパラメータを、そのチャンネルに対応する第１ないし第２ｃｈストリップ部の各ｃｈストリップの前記ノブに割り当て、何れか１のチャンネルに対応する１のｃｈストリップの前記ノブの操作に応じて、前記カレントメモリに記憶されている当該チャンネルのパラメータのうちの、前記ノブに割り当てられたパラメータの値を増減し、何れか１のチャンネルに対応する１のｃｈストリップの前記エディットボタンの単独操作に応じて、当該１のチャンネルの２ｎ個のパラメータを表示する前記１_ｃｈ画面を表示するよう、前記表示器を制御し、何れか２のチャンネルに対応する２のｃｈストリップの前記エディットボタンの同時操作に応じて、当該２のチャンネルの各ｎ個のパラメータを表示する前記２_ｃｈ画面を表示するよう、前記表示器を制御し、（２）前記表示器に、あるチャンネルの２ｎ個のパラメータを表示する前記１_ｃｈ画面が表示されているときは、前記あるチャンネルの２ｎ個のパラメータを、前記第１および第２のｃｈストリップ部の計２ｎ個のｃｈストリップの前記ノブに割り当て、各ｃｈストリップの前記ノブの操作に応じて、前記カレントメモリに記憶されている前記あるチャンネルのパラメータのうちの、当該ノブに割り当てられたパラメータの値を増減し、何れか２のチャンネルに対応する２のｃｈストリップの前記エディットボタンの同時操作に応じて、当該２のチャンネルの各ｎ個のパラメータを表示する前記２_ｃｈ画面を表示するよう、前記表示器を制御し、前記あるチャンネルに対応するｃｈストリップの前記エディットボタンの操作に応じて、前記２ｎチャンネルのパラメータを表示するｃｈストリップ画面を表示するよう、前記表示器を制御し、（３）前記表示器に、ある２チャンネルの各ｎ個のパラメータを表示する前記２_ｃｈ画面が表示されているときは、前記ある２チャンネルの一方のチャンネルのｎ個��パラメータを、前記第１ｃｈストリップ部のｎ個のｃｈストリップの前記ノブに、他方のチャンネルのｎ個のパラメータを、前記第２ｃｈストリップ部のｎ個のｃｈストリップの前記ノブに、それぞれ割り当て、前記第１ｃｈストリップ部の各ｃｈストリップの前記ノブの操作に応じて、前記カレントメモリに記憶されている前記一方のチャンネルのパラメータのうちの、当該ノブに割り当てられたパラメータの値を増減し、前記第２ｃｈストリップ部の各ｃｈストリップの前記ノブの操作に応じて、前記カレントメモリに記憶されている前記他方のチャンネルのパラメータのうちの、当該ノブに割り当てられたパラメータの値を増減し、前記ある２チャンネル以外の何れか１のｃｈに対応するｃｈストリップの前記エディットボタンの操作に応じて、当該１のｃｈの２ｎ個のパラメータを表示する前記１_ｃｈ画面を表示するよう、前記表示器を制御し、前記ある２チャンネルの何れかに対応するｃｈストリップの前記エディットボタンの操作に応じて、前記２ｎチャンネルのパラメータを表示するｃｈストリップ画面を表示するよう、前記表示器を制御することを特徴とする。
【０００９】
請求項２に係る発明は、請求項１に記載の音響信号処理装置において、前記制御部は、（２）前記表示器に、あるチャンネルの２ｎ個のパラメータを表示する前記１_ｃｈ画面が表示されているときは、前記あるチャンネル以外の何れか１のチャンネルに対応するｃｈストリップの前記エディットボタンの操作に応じて、当該１のチャンネルの２ｎ個のパラメータを表示する前記１_ｃｈ画面を表示するよう、前記表示器を制御することを特徴とする。
【００１０】
請求項３に係る発明は、請求項１に記載の音響信号処理装置において、前記制御部は、（３）前記表示器に、ある２チャンネルの各ｎ個のパラメータを表示する前記２_ｃｈ画面が表示されているときは、何れか２のチャンネルに対応する２のｃｈストリップの前記エディットボタンの同時操作に応じて、当該２のチャンネルの各ｎ個のパラメータを表示する前記２_ｃｈ画面を表示するよう、前記表示器を制御することを特徴とする。
【００１１】
請求項４に係る発明は、複数の音響信号の各々に対して、カレントメモリに各チャンネル毎に記憶されているパラメータに基づいて信号処理を施す複数チャンネルのチャンネル処理部と、表示器と、複数のｃｈストリップを備えたｃｈストリップ部であって、１つのｃｈストリップは少なくとも１つのノブと１つのエディットボタンとを含む操作子を有し、各ｃｈストリップにそれぞれ前記チャンネル処理部のチャンネルを割り当てて、該ｃｈストリップの操作子を操作することで該ｃｈストリップに割り当てられたチャンネルのパラメータを調整できるとともに、それら複数のｃｈストリップは第１グループと第２グループとに分けられている、ｃｈストリップ部と、制御部とを備える音響信号処理装置において、前記表示器は、前記ｃｈストリップ部の複数のｃｈストリップに割り当てられた全てのｃｈのパラメータの設定状態を一覧表示するｃｈストリップ画面、何れか１のチャンネルの複数のパラメータを表示する１_ｃｈ画面、何れか２のチャンネルのそれぞれの複数のパラメータを表示する２_ｃｈ画面のうちの１つを選択的に表示可能であり、かつ、前記制御部は、（１）前記表示器に、前記ｃｈストリップ画面が表示されているときは、各チャンネルの１のパラメータを前記ｃｈストリップ部の各ｃｈストリップのノブに割り当て、該ノブの操作により、割り当てられたパラメータの値を増減し、何れか１のｃｈストリップのエディットボタンの単独操作に応じて、そのｃｈストリップに割り当てられた１のｃｈの複数のパラメータを表示する１_ｃｈ画面を表示するよう、前記表示器を制御し、何れか２のｃｈストリップのエディットボタンの同時操作に応じて、それらのｃｈストリップに割り当てられた２のｃｈのそれぞれの複数のパラメータを表示する２_ｃｈ画面を表示するよう、前記表示器を制御し、（２）前記表示器に、前記１_ｃｈ画面が表示されているときは、その１_ｃｈ画面で表示している前記１のｃｈの複数のパラメータのそれぞれを前記ｃｈストリップ部の各ｃｈストリップのノブに割り当て、該ノブの操作により、割り当てられたパラメータの値を増減し、その１_ｃｈ画面で表示している前記１のｃｈが割り当てられているｃｈストリップのエディットボタンの操作に応じて、前記ｃｈストリップ画面を表示するよう、前記表示器を制御し、何れか２のｃｈストリップのエディットボタンの同時操作に応じて、それらのｃｈストリップに割り当てられた２のｃｈのそれぞれの複数のパラメータを表示する２_ｃｈ画面を表示するよう、前記表示器を制御し、（３）前記表示器に、前記２_ｃｈ画面が表示されているときは、その２_ｃｈ画面で表示している前記２のｃｈのうち、一方のｃｈの複数のパラメータのそれぞれを前記ｃｈストリップ部の第１グループの各ｃｈストリップのノブに割り当て、該ノブの操作により、割り当てられたパラメータの値を増減し、その２_ｃｈ画面で表示している前記２のｃｈのうち、他方のｃｈの複数のパラメータのそれぞれを前記ｃｈストリップ部の第２グループの各ｃｈストリップのノブに割り当て、該ノブの操作により、割り当てられたパラメータの値を増減し、その２_ｃｈ画面で表示している前記２のｃｈが割り当てられているｃｈストリップの何れかのエディットボタンの操作に応じて、前記ｃｈストリップ画面を表示するよう、前記表示器を制御し、その２_ｃｈ画面で表示している前記２のｃｈが割り当てられているｃｈストリップ以外の何れか１のｃｈストリップのエディットボタンの単独操作に応じて、そのｃｈストリップに割り当てられた１のｃｈの複数のパラメータを表示する１_ｃｈ画面を表示するよう、前記表示器を制御することを特徴とする。
【発明の効果】
【００１２】
本発明によれば、各ｃｈストリップに用意されたエディットボタンの簡単な操作によって、ｃｈストリップ画面、１_ｃｈ画面、２_ｃｈ画面のうちの所望のタイプの、所望のチャンネルを制御対象とする１の画面を選択的に開き、そのチャンネルのパラメータの編集を行うことができる。特に、２_ｃｈ画面では、任意の２チャンネルのパラメータの値を、相互に比較しながら調整することができる。
【図面の簡単な説明】
【００１３】
【図１】この発明の実施の形態の音響信号処理装置であるディジタルミキサのハードウエア構成を示すブロック図
【図２】ディジタルミキサと外部表示器を接続した様子を示す外観図
【図３】表示器の画面例とディジタルミキサの操作パネル上の構成を示す図
【図４】ミキシング処理の機能構成を示すブロック図
【図５】入力ｃｈの１ｃｈ分の機能構成例を示すブロック図
【図６】１ｃｈ_画面の表示例を示す図
【図７】２ｃｈ_画面の表示例を示す図
【図８】画面のモード遷移を示す図
【図９】レイヤ選択処理およびフェーダの操作時処理のフローチャート
【図１０】ノブ３１１が操作されたときの処理を示すフローチャート
【図１１】エディットボタン３１２がオン操作（押下）およびオフ操作されたときの処理を示すフローチャート
【図１２】ＰＣ上でＤＡＷを動作させ、該ＰＣに外部ディスプレイとコントロールサーフェイスとを接続した構成例を示す図
【発明を実施するための形態】
【００１４】
以下、図面を用いて本発明の実施の形態を説明する。
【００１５】
図１は、この発明の実施の形態の音響信号処理装置であるディジタルミキサ１００のハードウエア構成を示すブロック図である。中央処理装置（ＣＰＵ）１０１は、このミキサ全体の動作を制御する処理装置である。フラッシュメモリ１０２は、ＣＰＵ１０１が実行する各種のプログラムや各種のデータなどを格納した不揮発性メモリである。ランダムアクセスメモリ（ＲＡＭ）１０３は、ＣＰＵ１０１が実行するプログラムのロード領域やワーク領域に使用する揮発性メモリである。表示器入出力インターフェース（Ｉ／Ｏ）１０４は、外部表示器（ディスプレイ）１０５を接続するためのインターフェースである。その他Ｉ／Ｏ１０６は、その他の種々の機器を接続するためのインターフェースである。電動フェーダ１０７は、操作パネル上に設けられた、各種のパラメータ値を設定するための操作子である。操作子１０８は、操作パネル上に設けられた、ユーザが操作するための各種の操作子（電動フェーダ以外のボタンなど）である。波形Ｉ／Ｏ１０９は、外部機器との間で音響信号をやり取りするためのインターフェースである。信号処理部（ＤＳＰ）１１０は、ＣＰＵ１０１の指示に基づいて各種のマイクロプログラムを実行することにより、波形Ｉ／Ｏ１０９経由で入力した音響信号のミキシング処理、効果付与処理、および音量レベル制御処理などを行い、処理後の音響信号を波形Ｉ／Ｏ１０９経由で出力する。バス１２０は、これら各部を接続するバスラインであり、コントロールバス、データバス、およびアドレスバスを総称したものである。
【００１６】
図２は、図１のディジタルミキサ１００と外部表示器１０５を接続した様子を示す外観図である。不図示だが、ディジタルミキサ１００の上面の操作パネル２０１には、電動フェーダ１０７や操作子１０８などが配置されている。表示器１０５としては任意の大きさのディスプレイを接続できる。ただし、後述の図３に示すように、操作パネル２０１上に設けられているｃｈストリップの本数に対応する表示を行うためには、ある程度の大きさのディスプレイを接続するのが好ましい。また、表示器１０５は、図３に示すように、ｃｈストリップ画面の各ｃｈストリップの表示の下側に操作パネル２０１上の各ｃｈストリップが位置するように、配置することが好ましい。
【００１７】
図３は、本実施形態における表示器１０５の画面例とディジタルミキサ１００の操作パネル２０１上の構成を示す。３０１は表示器１０５に表示される画面例であり、３０２は操作パネル２０１上に配置されている各種操作子の外観を示す。
【００１８】
操作パネルには、１６本のｃｈストリップ３０３−１〜３０３−１６からなるｃｈストリップ部が設けられている。左側の８本をｃｈストリップ＃１グループと呼び、右側の８本をｃｈストリップ＃２グループと呼ぶ。１本のｃｈストリップ、例えば３０３−１は、ロータリエンコーダ（ノブ）３１１、エディットボタン３１２、ＳＥＬボタン３１３、ＯＮボタン３１４、および電動フェーダ３１５を備える。
【００１９】
ノブ３１１は、上側の画面３０１に表示される内容などに応じて機能が切り替わるパラメータ調整用のロータリエンコーダである。エディットボタン３１２は、後に詳述する１_ｃｈ画面や２_ｃｈ画面を表示する際に使用するボタンである。ＳＥＬボタン３１３は、当該ｃｈストリップ３０３−１に割り当てられているｃｈを選択するときに使用するボタンである。ＯＮボタン３１４は、当該ｃｈストリップ３０３−１が割り当てられているｃｈをオン／オフするボタンである。電動フェーダ３１５は、割り当てられているｃｈの音量レベル（信号レベル）などを調整するためのフェーダである。他のｃｈストリップ３０３−２〜３０３−１６も同様の構成である。なお、各ｃｈストリップの構成要素３１１〜３１５にも−１から−１６の枝番を付けて表現する。例えば、ｃｈストリップ３０３−３のノブは、番号３１１−３で指し示すものとする。
【００２０】
３０５はパラメータテーブルＰＴのポインタを移動するためのボタン群（別の観点ではパラメータのページ指定ボタン群）、３０６は表示するパラメータ種類（ジャンル）を指定するためのボタン群であるが、これらについては後に詳述する。
【００２１】
画面例３０１中で、３２１はｃｈストリップ画面（全体）、３２２は全ｃｈメータ表示画面、３２３は主メータ等表示画面を示す。ｃｈストリップ画面３２１は、ｃｈストリップ３０３−１〜３０３−１６に対応するｃｈパラメータ表示領域３２１−１〜３２１−１６を並べたものである。１つのｃｈパラメータ表示領域、例えば３２１−１には、対応するｃｈストリップ３０３−１に割り当てられているｃｈに関する各種パラメータの設定状態が表示される。ノブ３１１にアサインされているパラメータの設定状態が表示されている場合には、そのパラメータ表示が強調表示される。他のｃｈパラメータ表示領域３２１−２〜３２１−１６も同様である。全ｃｈメータ表示画面３２２には、全てのｃｈのそれぞれについての信号レベルを示すメータが表示される。主メータ等表示画面３２３には、本ミキサの主出力信号等の主要な信号のレベルを示すメータや、シーン制御状態などが表示される。
【００２２】
図４は、本ミキサにより実現するミキシング処理の機能構成を示すブロック図である。４０１はマイクなどで入力したアナログ音響信号をディジタル信号に変換した入力を示す。４０２はディジタル音響信号の入力を示す。これらの入力は、それぞれ複数本（その本数は装置構成に応じた上限がある）設けることができる。入力パッチ４０３は、上述した入力を入力ｃｈ４０４へ接続する任意結線を行う。その結線の設定は、ユーザが所定の画面を見ながら任意に行うことができる。入力ｃｈ４０４は、シングルで４８ｃｈが設けられている。各入力ｃｈ４０４は、設定されたパラメータの現在値に基づいて、入力信号に対するレベル制御や周波数特性の調整処理などの各種の信号処理を行う。各入力ｃｈ４０４の信号は、２４本のＭＩＸバス４０６のそれぞれへ出力することができ、その送出レベルをそれぞれ独立に設定することができる。
【００２３】
ＭＩＸバス４０６の２４本の各バスは、入力ｃｈ４０４から入力した信号をミキシングする。ミキシングされた信号は、そのＭＩＸバスに対応する出力ｃｈ４０７に出力される。ＭＩＸバス４０６と出力ｃｈ４０７とは１対１の対応で各ｃｈが対応づけられている。各出力ｃｈは、設定されたパラメータの現在値に基づいて出力側の各種の信号処理を行う。出力ｃｈ４０７の出力は、出力パッチ４０８に入力する。出力パッチ４０８は、出力ｃｈ４０７からアナログ出力４０９またはディジタル出力４１０への任意の結線を行う。その結線の設定は、ユーザが所定の画面を見ながら任意に行うことができる。
【００２４】
なお、入力部４０１，４０２および出力部４０９，４１０は図１の波形Ｉ／Ｏ１０９により実現する。その他の部分４０３〜４０８は、ＤＳＰ１１０が所定のマイクロプログラムを実行することにより実現する。該マイクロプログラムは、ＣＰＵ１０１がＤＳＰ１１０に送って設定する。ＤＳＰ１１０が該マイクロプログラムを実行するときに使用する係数データも、ＣＰＵ１０１がＤＳＰ１１０に送って設定する。
【００２５】
図５は、図４で説明した入力ｃｈ４０４の１ｃｈ分の機能構成例を示すブロック図である。入力ｃｈには、入力パッチ４０３からディジタル信号が入力する。エフェクト１（５０１）とエフェクト２（５０２）は、予めフラッシュメモリ１０２内に用意されている内蔵エフェクトからユーザが任意に選択して割り当てることができるエフェクト（インサーションあるいはプラグイン）である。選択された内蔵エフェクトのエフェクトデータがＤＳＰ１１０に送られ、ＤＳＰ１１０が該エフェクトデータに基づいて動作することにより当該エフェクト１，２が実現される。ＥＱ５０３は周波数特性の調整処理を行うイコライザである。Ｃｏｍｐ５０４は自動ゲイン調整処理を行うコンプレッサである。フェーダ５０５は、電動フェーダ１０７（図３の３１５）の設定位置に応じて信号レベルを調整する部分である。ミュート５０６は、ミュートスイッチの設定状態に応じてミュートを行う部分である。出力５０７は、当該入力ｃｈの信号を各ＭＩＸバス４０６に出力する際の各ＭＩＸバス４０６への送出レベルの調整を行う部分である。上記では入力ｃｈについて説明したが、出力ｃｈの機能構成も、出力５０７が出力パッチ４０８のみに信号を出力し、そこでは送出レベルの調整をしない点を除いて、これと同様のものである。
【００２６】
上記図４や図５の各部はそれぞれ各種のパラメータを有する。パラメータの現在値（カレントデータ）は、フラッシュメモリ１０２またはＲＡＭ１０３に設けられたカレントメモリへ記憶される。ミキサ１００における、各部の信号処理の設定や、パネル状態の設定は、カレントメモリに記憶されているカレントデータに基づいて行われる。すなわち、カレントメモリ上の各種パラメータの値を設定・変更することにより、ミキサ１００の各部の動作が制御できるように構成されている。カレントメモリにはミキサ１００が備えるすべてのパラメータのカレントデータが記憶され、該カレントメモリ内のカレントデータは、操作子１０７，１０８や表示器１０４などを使って行われる各種の操作の内容に応じて変更（調整）される。上記カレントメモリに記憶されているパラメータは、それぞれ、ｃｈを特定しない、固有のＩＤと名称とを有している。つまり、異なる２つのｃｈの、同じブロックの同じパラメータは、同じＩＤと名称とを有する。
【００２７】
図６は、１ｃｈ_画面の表示例を示す。図３のｃｈストリップ画面３２１が表示されている状態において、何れか１つのｃｈストリップ３０３のエディットボタン３１２を押下すると、そのｃｈストリップに割り当てられているｃｈに関する１ｃｈ_画面が表示される。１ｃｈ_画面６０１は、ｃｈストリップ画面３２１が表示されていた領域にポップアップする形で表示される。上側の全ｃｈメータ表示画面３２２と右側の主メータ等表示画面３２３はそのまま表示が継続される。
【００２８】
１ｃｈ_画面は、指定された１つのｃｈの指定された種類のパラメータを細かく表示し編集するための画面である。編集対象のｃｈは、上述したようにエディットボタン３１２が押下された１つのｃｈストリップに割り当てられているｃｈである。編集対象のパラメータ種類（ジャンル）は、図３のボタン群３０６により指定される。具体的には、ボタン群３０６は、（１）ルーティング、（２）パン、（３）センド、（４）イコライザ、（５）コンプレッサ、（６）プラグイン１、（７）プラグイン２の何れか１つを選択するボタン群である。常に何れか１つのボタンがオン状態（そのボタンに対応するパラメータ種類が指定された状態）であるものとし、ボタン群３０６のオフ状態のボタンを押下すると、オン状態であったボタンがオフ状態となり、押下されたボタンがオン状態となり、その押下されたボタンに対応するジャンルが指定された状態に切り替わる。
【００２９】
図６の１_ｃｈ画面６０１は、上記ボタン群３０６のうち（４）イコライザを指定するボタンがオン状態の場合の画面例である。６１１は、当該ｃｈにおけるイコライザの現在の設定状態を示すグラフであり、横軸が周波数、縦軸が各周波数の減衰レベルを示す。６１２−１〜６１２−１６は、各周波数帯（バンド）のパラメータの名称「Par」とその設定値「Val」の表示領域である。例えば、３１バンドのイコライザの場合、表示領域６１２−１には、バンド１のパラメータの名称「Par」として周波数「20Hz」と表示され、その設定値「Val」としてレベル値（例えば、「-12.5dB」、「3dB」、「0dB」、…）が表示される。表示領域６１２−２には、バンド２のパラメータの名称「Par」として周波数「25Hz」と表示され、その設定値「Val」としてレベル値が表示される。表示領域６１２−３には、バンド３のパラメータの名称「Par」として周波数「31.5Hz」と表示され、その設定値「Val」としてレベル値が表示される。以下、同様である。これらの表示領域６１２−１〜６１２−１６は、それぞれ操作パネルのノブ３１１−１〜３１１−１６に順に対応しており、ノブ３１１−１によりバンド１のレベル値を、ノブ３１１−２によりバンド２のレベル値を、…それぞれ調整することができる。特に、ユーザは、パラメータ名称を視認しつつノブ３１１を操作して、パラメータ値を変更することができる。この例は３１バンドのイコライザであるが、ｃｈストリップ３０３は１６本であるので、１_ｃｈ画面６０１がポップアップ表示された初期状態では、バンド１〜１６の各レベル値を表示領域６１２−１〜６１２−１６に順に表示して、それぞれノブ３１１−１〜３１１−１６で調整することができる。
【００３０】
バンド１７〜３１のレベル値は、ボタン群３０５により次ページの指定を行うことで表示される。ボタン群３０５は、第１ページ、第２ページ、…のようにページを指定するボタン群である。１_ｃｈ画面６０１がポップアップ表示された初期状態では、第１ページが指定された状態となり、他のページを指定するボタンを押下すると、そのページに切り替わる。従って、１_ｃｈ画面６０１が表示されている状態で第２ページ指定ボタンを押下することで、表示領域６１２−１にはバンド１７のパラメータの名称とレベル値、表示領域６１２−２にはバンド１８のパラメータの名称とレベル値、…というように、第２ページの各バンドのパラメータ名称とレベル値が表示され、ノブ３１１−１によりバンド１７のレベル値を、ノブ３１１−２によりバンド１８のレベル値を、…それぞれ調整することができる。なお、この例では３１バンドであるので、第２ページが表示されている場合、表示領域６１２−１６には何も表示されず、ノブ３１１−１６の操作も無効である。
【００３１】
なお、１_ｃｈ画面６０１がポップアップ表示されているとき、上述したように各ノブ３１１の機能はその１_ｃｈ画面６０１に応じて変わるが、ｃｈストリップ３０３の他の操作子３１２〜３１５の機能は変わらない。例えば、フェーダ３１５−１を操作することで、ｃｈストリップ３０３ー１に割り当てられているｃｈのレベルを調整できる。
【００３２】
ここでは３１バンドのイコライザの例を説明したが、ボタン群３０６により他のジャンルが選択されている場合も同様である。例えば、（３）センドが選択されている状態で何れか１のｃｈストリップ３０３のエディットボタン３１２を押下すると、当該ｃｈストリップ３０３に割り当てられているｃｈから各送り先（出力先）へのセンドレベルを調整するための１_ｃｈ画面が表示される。最初に表示されるのは、第１ページの１６個の送り先へのセンドレベルである。すなわち、図６の表示領域６１２−１〜６１２−１６には、名称「Par」として送り先のバス名（例えば、「MIX1」、「MIX2」、「MIX3」、…）が順に表示され、設定値「Val」として各送り先へのセンドレベル値（例えば、「-∞dB」、「-6dB」、「-20dB」、…）が表示される。ユーザは、各送り先を視認しつつ、ノブ３１１を操作して、各送り先へのセンドレベルを調整できる。また、ボタン群３０５により第２ページ以降のページに切り替えて、第１ページ以降の出力先へのセンドレベルを調整できる。なお、センドレベルの場合、各ノブ３１１の近傍に配置されているボタンを利用して、対応する送り先のバスへのセンドオンのパラメータをオン／オフできるように（すなわち、該バスへ信号を供給する／しないの制御ができるように）するとよい。
【００３３】
なお、ボタン群３０６により（６）プラグイン１が選択されたときには、その時点で図５のエフェクト１（５０１）に割り当てられているインサーションに関する複数のパラメータを表示編集する１_ｃｈ画面６０１がポップアップ表示され、ノブ３１１で調整できるようになる。（７）プラグイン２が選択されたときには、その時点で図５のエフェクト２（５０２）に割り当てられているインサーションに関する複数のパラメータを表示編集する１_ｃｈ画面６０１がポップアップ表示され、ノブ３１１で調整できるようになる。
【００３４】
図７は、２ｃｈ_画面の表示例を示す。図３のｃｈストリップ画面３２１が表示されている状態において、何れか２つのｃｈストリップ３０３のエディットボタン３１２を同時に押下すると、それらのｃｈストリップに割り当てられている２つのｃｈに関する２ｃｈ_画面が表示される。２ｃｈ_画面は、左側画面７０１と右側画面７０２からなる。２ｃｈ_画面７０１，７０２は、ｃｈストリップ画面３２１が表示されていた領域にポップアップする形で表示される。上側の全ｃｈメータ表示画面３２２と右側の主メータ等表示画面３２３はそのまま表示が継続される。
【００３５】
２ｃｈ_画面は、指定された２つのｃｈの指定された種類のパラメータを同時に細かく表示し編集するための画面である。編集対象のｃｈは、上述したようにエディットボタン３１２が同時押下された２つのｃｈストリップに割り当てられている２つのｃｈである。２つのｃｈを左側画面７０１と右側画面７０２のどちらに割り当てるかは任意であるが、ここではｃｈ番号の小さい方を左側に割り当て、もう一方を右側に割り当てている。編集対象のパラメータ種類が図３のボタン群３０６により指定される点は、１ｃｈ_画面と同じである。
【００３６】
図７の２_ｃｈ画面７０１，７０２は、上記ボタン群３０６のうち（４）イコライザを指定するボタンがオン状態の場合の画面例である。図から分かるように、２_ｃｈ画面の左側画面７０１と右側画面７０２の構成は、図６の１ｃｈ_画面６０１と同様である。左側画面７０１の表示領域７１２−１〜７１２−８と右側画面７０２の表示領域７２２−１〜７２２−８の各々において、名称「Par」と設定値「Val」が表示される点も、図６と同様である。ただし、表示編集するパラメータの数は、１ｃｈ_画面６０１では１６個あるのに対し、２_ｃｈ画面の左側画面７０１と右側画面７０２ではそれぞれ８個になっている。従って、左側画面７０１では編集対象のｃｈのバンド１〜８をノブ３１１−１〜３１１−８で、右側画面７０２では編集対象のｃｈのバンド１〜８をノブ３１１−９〜３１１−１６で、それぞれ調整可能である。バンド９以降については、ボタン群３０５によりページを指定して表示・編集する点も１ｃｈ_画面６０１と同様である。この例ではバンド数が３１であるので、第１〜第４ページを切り替えることで全バンドの調整が可能である。なお、左側画面７０１と右側画面７０２とで別のページを表示させることはできない。
【００３７】
２_ｃｈ画面７０１，７０２がポップアップ表示されているとき、ｃｈストリップ３０３の他の操作子３１２〜３１５の機能が変わらない点は、図６の１ｃｈ_画面６０１と同様である。
【００３８】
図８は、本実施形態のディジタルミキサにおける画面のモード遷移を示す表である。ｃｈストリップ画面が表示されているときをｃｈストリップモードと呼び、１_ｃｈ画面が表示されているときを１_ｃｈモードと呼び、２_ｃｈ画面が表示されているときを２_ｃｈモードと呼ぶ。図８の「前」の欄は遷移前のモード、「後」の欄は遷移後のモードを示し、表内にはそのようにモード遷移させる操作を示す。
【００３９】
ｃｈストリップモードの状態で、任意の１つのｃｈストリップのエディットボタン３１２を押すとそのｃｈストリップに割り当てられているｃｈに関する１_ｃｈ画面を表示する１_ｃｈモードに遷移し、任意の２つのｃｈストリップのエディットボタン３１２を同時に押すとそれらのｃｈストリップに割り当てられている２つのｃｈに関する２_ｃｈ画面を表示する２_ｃｈモードに遷移する。１_ｃｈモードの状態で、エディット中のｃｈのエディットボタン３１２を押すとｃｈストリップモードに戻る。１_ｃｈモードの状態で、エディット中のｃｈ以外のｃｈのエディットボタン３１２を押すと、１_ｃｈモードであることに変更はないが、表示されている１_ｃｈ画面の表示編集対象ｃｈが新たにエディットボタン３１２が押されたｃｈに変更される。１_ｃｈモードの状態で、任意の２ｃｈのエディットボタン３１２を同時に押すと、それらの２ｃｈに関する２_ｃｈ画面を表示する２_ｃｈモードに遷移する。２_ｃｈモードの状態で、エディット中の２ｃｈの何れかのエディットボタン３１２を押すと、ｃｈストリップモードに戻る。２_ｃｈモードの状態で、エディット中でない任意の１ｃｈのエディットボタン３１２を押すと、そのｃｈに関する１_ｃｈ画面を表示する１ｃｈモードとなり、任意の２ｃｈのエディットボタン３１２を同時に押すと、それらの２ｃｈに関する２_ｃｈ画面を表示する２_ｃｈモードとなる。
【００４０】
なお、１_ｃｈモードや２_ｃｈモードの状態で、ボタン群３０６によりジャンルを切り替えた場合は、新たに指定されたジャンルに関する１_ｃｈ画面や２_ｃｈ画面に切り替わるものとする。この場合、表示されるページは第１ページに初期化される。例えば、イコライザの１_ｃｈ画面で第２ページが表示されている状態で、ボタン群３０６によりジャンルをコンプレッサに切り替えた場合は、コンプレッサの１_ｃｈ画面の第１ページが表示される。
【００４１】
次に、図９以降のフローチャートを参照して、本実施形態のディジタルミキサの動作を説明する。フローの説明の前に、変数について説明する。なお、変数を示す記号は、その変数を表すとともに、その変数に格納されるデータをも表すものとする。
【００４２】
（１）ＡＣ（ｉ）：１６本のｃｈストリップ３０３−１〜３０３−１６に割り当てられているｃｈのＩＤを格納する配列である。添字ｉ（ｉは０から１５の整数をとる）で左側から順に各ｃｈストリップを特定する。例えば、ＡＣ（０）にはｃｈストリップ３０３−１に割り当てられているｃｈのＩＤが格納され、ＡＣ（１）にはｃｈストリップ３０３−２に割り当てられているｃｈのＩＤが格納される。
【００４３】
（２）ＤＭ：ディスプレイモードを示す。０のときｃｈストリップモード、１のとき１_ｃｈモード、２のとき２_ｃｈモードを示す。
【００４４】
（３）ＤＣ１およびＤＣ２：１_ｃｈモードまたは２_ｃｈモードのときにポップアップ表示される画面の編集対象ｃｈ（ディスプレイｃｈ）を格納する変数である。ｃｈストリップモードのときは、ＤＣ１およびＤＣ２は共にｎｕｌｌとする。１_ｃｈモードのときは、１_ｃｈ画面の編集対象ｃｈをＤＣ１に格納し、ＤＣ２はｎｕｌｌとする。２_ｃｈモードのときは、２_ｃｈ画面の左側画面の編集対象ｃｈをＤＣ１に格納し、右側画面の編集対象ｃｈをＤＣ２に格納する。なお、操作パネル２０１上の１６のエディットボタン３１２のうち、変数ＤＣ１ないしＤＣ２に編集対象ｃｈとして格納されているｃｈが割り当てられているｃｈストリップ３０３のエディットボタン３１２が点灯し、それ以外のｃｈストリップ３０３のエディットボタン３１２は消灯する。これにより、ユーザは、どのエディットボタンが「Edit中のｃｈのエディットボタン」であるかを視認でき、図８の表中の「Edit中のｃｈのエディットボタンを押す」操作等を効率的に行うことができる。
【００４５】
（４）ＰＴ：現在選択されているジャンルの各パラメータのＩＤを順番に記憶したパラメータテーブルを示す。ボタン群３０６で指定することができるジャンル毎に設けられている配列である。例えば、イコライザのパラメータはバンド１〜３１の各バンドの減衰レベルである３１個のパラメータからなるので、それらの３１個の各パラメータを特定するＩＤを順番にイコライザ対応のパラメータテーブルＰＴにセットしておく。すなわち、ＰＴ（０）に「バンド１の減衰レベル」のパラメータＩＤを、ＰＴ（１）に「バンド２の減衰レベル」のパラメータＩＤを、…、ＰＴ（３０）に「バンド３１の減衰レベル」のパラメータのＩＤを、それぞれセットしておく。なお、実際にはジャンル毎にパラメータテーブルが用意されているが、以下の説明ではパラメータテーブルを１つの記号ＰＴのみで説明する。すなわち、単にパラメータテーブルＰＴと言うときには、現在ボタン群３０６で指定されているジャンルのパラメータテーブルを示しているものとする。なお、パラメータテーブルＰＴは、ユーザが編集できるテーブルとしてもよいし、モード毎に別テーブルとしてもよい。
【００４６】
（５）ＳＭＰ：ストリップモードポインタである。パラメータテーブルＰＴの添字に使用する変数であり、ｃｈストリップモードにおいてノブ３１１に割り当てられているパラメータのＩＤを参照する添字の値が格納される。逆に言えば、ｃｈストリップモードにおいて、何れかのｃｈストリップ３０３のノブ３１１が操作されたときには、そのｃｈストリップ３０３に割り当てられているｃｈのＰＴ（ＳＭＰ）のＩＤのパラメータの値をノブ操作量に応じて調整すれば良いことになる。
【００４７】
さらに詳しく説明すれば、ｃｈストリップモードでは、各ｃｈストリップ３０３にｃｈが割り当てられるが、ノブ３１１にはユーザが調整したいパラメータを任意に割り当てることができる。例えば、ｃｈストリップ３０３−１〜３０３−１６に入力ｃｈ１〜１６が割り当てられており、ユーザの設定によりノブ３１１にイコライザのバンド３が割り当てられている場合、ノブ３１１−１で入力ｃｈ１のイコライザのバンド３の減衰レベルが調整でき、ノブ３１１−２で入力ｃｈ２のイコライザのバンド３の減衰レベルが調整でき、…、というようにできる。この場合、ユーザがノブ３１１にパラメータを割り当てることは、内部的にＰＴ（ＳＭＰ）で当該パラメータのＩＤが参照できるようにＳＭＰの値を決定していることを意味する。上記の例では、ユーザがノブ３１１にイコライザのバンド３を割り当てる設定を行うと、ＳＭＰ＝２が設定され、イコライザのパラメータテーブルＰＴからＰＴ（ＳＭＰ）すなわちＰＴ（２）を参照すると、ノブ３１１に割り当てられているパラメータのＩＤがイコライザのバンド３であることが分かるようにできるということである。なお、ＳＭＰの値は初期値０とし、所定の操作を行うと１ずつインクリメント（またはデクリメント）することで設定される。
【００４８】
（６）１ＣＭＰ：１_ｃｈモードポインタである。パラメータテーブルＰＴの添字に使用する変数であり、１_ｃｈモードにおいて１番左のｃｈストリップ３０３−１のノブ３１１−１に割り当てられているパラメータのＩＤを参照する添字の値が格納される。逆に言えば、１_ｃｈモードにおいて、ｃｈストリップ３０３−＊（＊はｉ＋１の整数、ただしｉは０〜１５の整数）のノブ３１１−＊が操作されたときには、いまポップアップ表示されている１_ｃｈ画面の編集対象ｃｈ（すなわちＤＣ１）のＰＴ（１ＣＭＰ＋ｉ）のＩＤのパラメータの値をノブ操作量に応じて調整すれば良いことになる。なお、１ＣＭＰの値は初期値０とし、ボタン群３０５によりページｐが指定されたとき、１ＣＭＰ＝１６×（ｐ−１）と設定すればよい。
【００４９】
（７）２ＣＭＰ：２_ｃｈモードポインタである。パラメータテーブルＰＴの添字に使用する変数であり、２_ｃｈモードにおいて１番左のｃｈストリップ３０３−１のノブ３１１−１に割り当てられているパラメータのＩＤを参照する添字の値が格納される。逆に言えば、２_ｃｈモードにおいて、ｃｈストリップ３０３−＊（＊はｉ＋１の整数、ただしｉは０〜１５の整数）のノブ３１１−＊が操作されたときには、０≦ｉ≦７ならいまポップアップ表示されている２_ｃｈ画面の左側画面の編集対象ｃｈ（すなわちＤＣ１）のＰＴ（２ＣＭＰ＋ｉ）のＩＤのパラメータの値をノブ操作量に応じて調整すれば良く、８≦ｉ≦１５ならいまポップアップ表示されている２_ｃｈ画面の右側画面の編集対象ｃｈ（すなわちＤＣ２）のＰＴ（２ＣＭＰ＋ｉ−８）のＩＤのパラメータの値をノブ操作量に応じて調整すれば良いことになる。なお、２ＣＭＰの値は初期値０とし、ボタン群３０５によりページｐが指定されたとき、２ＣＭＰ＝８×（ｐ−１）と設定すればよい。
【００５０】
（８）ＳＯ：同時操作フラグである。エディットボタンが１つのみオンされているとき０、同時に複数のエディットボタンがオンされているとき１となる。
【００５１】
（９）ＥＢ（ｉ）：エディットボタンの状態フラグである。初期状態はＥＢ（ｉ）＝０で、ｃｈストリップ３０３−＊（＊はｉ＋１の整数、ただしｉは０〜１５の整数）のエディットボタン３１２−＊がオン操作されたとき、ＥＢ（ｉ）＝１がセットされる。
【００５２】
（１０）ｌｓｎとｒｓｎ：同時にオンされた２つのエディットボタンのｃｈストリップ３０３の位置を示す値を格納する変数である。ｃｈストリップ３０３の位置は、上記ｉで特定される。
【００５３】
図９（ａ）は、レイヤ選択処理の手順を示すフローである。レイヤとは、１６本のｃｈストリップ３０３に割り当てるｃｈ群の層である。図４に示したように、本実施形態のミキサでは、４８個の入力ｃｈや２４個の出力ｃｈなどが設けられているので、例えば入力ｃｈ１〜１６のレイヤ、入力ｃｈ１７〜３２のレイヤ、…などが設けられている。これらのレイヤを選択する操作を行うと、図９（ａ）の処理が実行される。
【００５４】
まずステップ９０１で、選択されたレイヤの１６ｃｈの各ＩＤをＡＣ（０）〜ＡＣ（１５）に書き込む。ステップ９０２で、ディスプレイモードＤＭ＝０とし、ＤＣ１およびＤＣ２にｎｕｌｌを書き込む。ステップ９０３では、ＡＣ（０）〜ＡＣ（１５）の各ｃｈに関する情報を表示するｃｈストリップ画面（図３の３０１）を表示する。特に、表示するｃｈストリップ画面内には現時点でノブ３１１に割り当てられているパラメータの値を（それらのパラメータがノブ３１１に割り当てられているということが分かるような態様で）表示する領域が設けられているので、その領域にはパラメータテーブルＰＴ（ＳＭＰ）が示すＡＣ（０）〜ＡＣ（１５）の１パラメータを表示する。なお、パラメータテーブルＰＴは、その時点でボタン群３０６により指定されているジャンルに対応するパラメータテーブルＰＴを用いる。ＳＭＰは、そのジャンルのパラメータの中から、ユーザがノブ３１１に割り当てたパラメータを特定する値が設定されている。
【００５５】
図９（ｂ）は、フェーダ３１５の操作時処理のフローである。ｉを０〜１５の整数とし、＊＝ｉ＋１とした場合、ｃｈストリップ３０３−＊のフェーダ３１５−＊が操作されたときに本処理が実行される。ステップ９１１で、フェーダの操作位置に応じて、ＡＣ（ｉ）のｃｈのフェーダ値（通常は、そのｃｈの音量レベル）を変更する。
【００５６】
図１０は、何れかのｃｈストリップのノブ３１１が操作されたときの処理を示すフローである。上述のｉと＊を利用して、ｃｈストリップ３０３−＊のノブ３１１−＊が操作されたときに本処理が実行される。
【００５７】
ステップ１００１で、ＤＭを判別する。ｃｈストリップモードのときは、ステップ１００３で、操作されたノブ３１１の操作量と方向に応じて、ＰＴ（ＳＭＰ）のパラメータＩＤで特定されるＡＣ（ｉ）のパラメータの値を変更する。１_ｃｈモードのときは、ステップ１００４で、操作されたノブ３１１の操作量と方向に応じて、ＤＣ１のｃｈのＰＴ（１ＣＭＰ＋ｉ）のパラメータＩＤで特定されるパラメータの値を変更する。２_ｃｈモードのときは、ステップ１００２で、操作されたノブを特定するｉの値を判別する。０≦ｉ≦７（すなわち、操作されたのがノブ３１１−１〜３１１−８の何れかであり、２_ｃｈ画面の左側画面の編集対象ｃｈに対するパラメータ変更の指示である場合）なら、ステップ１００５で、操作されたノブ３１１の操作量と方向に応じて、ＤＣ１のｃｈのＰＴ（２ＣＭＰ＋ｉ）のパラメータＩＤで特定されるパラメータの値を変更する。８≦ｉ≦１５（すなわち、操作されたのがノブ３１１−９〜３１１−１６の何れかであり、２_ｃｈ画面の右側画面の編集対象ｃｈに対するパラメータ変更の指示である場合）なら、ステップ１００６で、操作されたノブ３１１の操作量と方向に応じて、ＤＣ２のｃｈのＰＴ（２ＣＭＰ＋ｉ−８）のパラメータＩＤで特定されるパラメータの値を変更する。
【００５８】
図１１（ａ）は、何れかのｃｈストリップのエディットボタン３１２がオン操作（押下）されたときの処理を示すフローである。上述のｉと＊を利用して、ｃｈストリップ３０３−＊のエディットボタン３１２−＊がオン操作されたときに本処理が実行される。
【００５９】
ステップ１１０１で、ＥＢ（ｉ）に１をセットする。ステップ１１０２で、他にオン中のエディットボタンがあるか判定する。そのためには、現ｉで特定されるｃｈストリップ以外のｃｈストリップの状態フラグＥＢの中に１になっているものがあるか否かで判定できる。他にオン中のエディットボタンがない場合は、ステップ１１０３で同時操作フラグＳＯ＝０とし、他にオン中のエディットボタンがある場合は、ステップ１１０４で、同時操作フラグＳＯ＝１とする。
【００６０】
図１１（ｂ）は、何れかのｃｈストリップのエディットボタン３１２がオフ操作（押下された後に離す操作）されたときの処理を示すフローである。上述のｉと＊を利用して、ｃｈストリップ３０３−＊のエディットボタン３１２−＊がオフ操作されたときに本処理が実行される。
【００６１】
ステップ１１１１で、ＥＢ（ｉ）を０にリセットする。ステップ１１１２では、オン中のエディットボタンの数を判定する。この判定は全ｃｈストリップのＥＢをチェックすることで行うことができる。オン中のエディットボタンの数が２以上であるときは、２_ｃｈ画面を開くための２つのｃｈが未だ特定できないので、そのまま終了する。オン中のエディットボタンの数が０のときは、いまオフされたエディットボタンが最後にオフされたものだということである。この場合は、同時操作フラグＳＯをチェックし、ＳＯ≠０なら既にポップアップ表示が為されているはずだからそのまま終了する。ＳＯ＝０なら、ステップ１１１４でＤＭをチェックし、現モードがｃｈストリップモードなら、ステップ１１１５で、ＤＭ＝１として１_ｃｈモードとし、ＤＣ１にはＡＣ（ｉ）を、ＤＣ２にはｎｕｌｌを、それぞれ設定し、さらにＡＣ（ｉ）のｃｈが割り当てられたｃｈストリップ３０３−＊のエディットボタン３１２を点灯し、それ以外のエディットボタン３１２を消灯する。次に、ステップ１１１６で、ＤＣ１のｃｈに関するパラメータテーブルＰＴ（１ＣＭＰ）〜ＰＴ（１ＣＭＰ＋１５）の各パラメータＩＤで特定される１６個のパラメータの値を領域６１２−１〜６１２−１６に順に表示する１_ｃｈ画面を表示して終了する。
【００６２】
ステップ１１１４で現モードがｃｈストリップモード以外なら、既に１_ｃｈ画面または２_ｃｈ画面がポップアップ表示されているということであるから、ステップ１１１７で、現在表示されている１_ｃｈ画面または２_ｃｈ画面の編集対象ｃｈ（ＤＣ１，ＤＣ２）と、いまエディットボタンがオフ操作されたｃｈ（ＡＣ（ｉ））とが一致するかを判定する。一致していない場合は、いまエディットボタンがオフ操作されたｃｈであるＡＣ（ｉ）を編集対象ｃｈとする１_ｃｈ画面を表示するものとし、ステップ１１１５に進む。
【００６３】
ステップ１１１７で現在表示されている１_ｃｈ画面または２_ｃｈ画面の編集対象ｃｈ（ＤＣ１，ＤＣ２）と、いまエディットボタンがオン→オフ操作されたｃｈ（ＡＣ（ｉ））とが一致していたら、現在表示されている１_ｃｈ画面または２_ｃｈ画面を閉じる指示が為されたと解釈し、ステップ１１１８で、ＤＭに０、ＤＣ１とＤＣ２にｎｕｌｌをセットし、さらに全てのｃｈストリップ３０３のエディットボタン３１２を消灯する。次に、ステップ１１１９で、ＡＣ（０）〜ＡＣ（１５）の各ｃｈに関する情報を表示するｃｈストリップ画面（図３の３０１）を表示し、このとき当該ｃｈストリップ画面内のノブ３１１に割り当てられているパラメータの表示領域にはパラメータテーブルＰＴ（ＳＭＰ）が示すＡＣ（０）〜ＡＣ（１５）の１パラメータをそれぞれ表示する。
【００６４】
ステップ１１１２でオン中のエディットボタンの数が１のときは、２個のエディットボタンがオンされた状態から１個のエディットボタンがオフされたということであるから、２_ｃｈ画面を開くものとし、ステップ１１２０に進む。ステップ１１２０では、変数ｊに、現在オン中のエディットボタンのｃｈストリップ３０３の番号（１番左のｃｈストリップを０とし、その右隣のｃｈストリップを１とし、以降は順に右側に２，３，…と数えていき、１番右側のｃｈストリップを１５とした番号）を格納する。ステップ１１２１で、いまエディットボタンがオフされたｃｈストリップを特定するｉと、現在オン中のｃｈストリップを特定するｊのうち、小さい方を変数ｌｓｎに、大きい方を変数ｒｓｎに、それぞれ格納する。次に、ステップ１１２２で、ＤＭに２、ＤＣ１にＡＣ（ｌｓｎ）、ＤＣ２にＡＣ（ｒｓｎ）を、それぞれ格納し、さらにＡＣ（ｌｓｎ）とＡＣ（ｒｓｎ）の２つのｃｈが割り当てられた２つのｃｈストリップ３０３−ｌ＊，３０３−ｒ＊（ただし、ｌ＊＝ｌｓｎ＋１、ｒ＊＝ｒｓｎ＋１）のエディットボタン３１２を点灯し、それ以外のエディットボタン３１２を消灯する。ステップ１１２３で、ＤＣ１のｃｈに関するパラメータテーブルＰＴ（２ＣＭＰ）〜ＰＴ（２ＣＭＰ＋７）の各パラメータＩＤで特定される８個のパラメータの値を領域７１２−１〜７１２−８に順に表示する左側画面と、ＤＣ２のｃｈに関するパラメータテーブルＰＴ（２ＣＭＰ）〜ＰＴ（２ＣＭＰ＋７）の各パラメータＩＤで特定される８個のパラメータの値を領域７２２−１〜７２２−８に順に表示する右側画面とからなる２_ｃｈ画面を表示して終了する。
【００６５】
なお、１_ｃｈ画面または２_ｃｈ画面が表示されている状態で、ボタン群３０５によりページの指定が為された場合は、指定されたページｐに応じて１ＣＭＰや２ＣＭＰを変更し、ステップ１１１６または１１２３の処理で１_ｃｈ画面または２_ｃｈ画面を再表示すればよい。また、１_ｃｈ画面または２_ｃｈ画面が表示されている状態で、ボタン群３０６によりジャンルの変更が為された場合は、ページｐを１に初期化し、該ページｐに応じて１ＣＭＰや２ＣＭＰを変更し、新たに指定されたジャンルのパラメータテーブルＰＴを用いてステップ１１１６または１１２３の処理で１_ｃｈ画面または２_ｃｈ画面を再表示すればよい。
【００６６】
上記実施形態では、図２に示すように、ディジタルミキサと外部表示器からなるシステムに本発明を適用した例としたが、本発明は、レコーダやエフェクタなど、複数ｃｈの音響信号の処理を行う各種の音響信号処理装置に適用できる。
【００６７】
また、ＰＣのＯＳ上で動作するＤＡＷ（例えばＣｕｂａｓｅ（登録商標）やＮｕｅｎｄｏ（登録商標）など）のユーザインターフェースとしてそのＰＣに接続されるコントロールサーフェイス（Ｈｏｕｓｔｏｎ（登録商標）などの）との組み合わせからなる音響信号処理装置に対して適用してもよい。図１２は、マウス等のポインティングデバイスを備えたＰＣ１２０１（外部ディスプレイ１２０２があるのでＰＣ１２０１側はディスプレイ不要）上でＤＡＷを動作させ、該ＰＣ１２０１に外部ディスプレイ１２０２とコントロールサーフェイス１２０３とを接続した構成例である。良く知られているとおり、ＰＣ１２０１上で動作するＤＡＷは、複数トラックのオーディオレコーダ機能、複数トラックのＭＩＤＩシーケンサ機能、複数入力ｃｈと複数バスと複数出力ｃｈとを備えたオーディオミキサ機能等を有しており、コントロールサーフェイスとＤＡＷのオーディオミキサ機能との組み合わせは、ディジタルミキサ１００とほぼ等価であると言える。この場合、図１のフェーダ１０７と操作子１０８がコントロールサーフェイス１２０３に対応し、図１のそれ以外の部分がＰＣ１２０１上で動作するＤＡＷに対応するものとし、ＤＡＷに上述したような動作を実現するプログラムを組み込めばよい。
【００６８】
なお、上記実施形態では、各ｃｈストリップ３０３のノブ３１１へのパラメータのアサインを、パラメータテーブルＰＴを介してＰＴ（ＳＭＰ）の形で行うようになっていたが、各ノブ３１１にパラメータＩＤを直接アサインするようにしてもよい。具体的には、変数としてＳＭＰの代わりにＳＭＰＩＤ（ストリップモードパラメータＩＤ）を用意して、変数ＳＭＰＩＤにノブ３１１にアサインしたパラメータのＩＤを記憶し、図１０のステップ１００３において、変数ＳＭＰＩＤが示すＡＣ（ｉ）のパラメータの値を増減するようにすればよい。この場合、ボタン３０６で選択されているジャンルに関係なく、所望のパラメータをノブ３１１にアサインできる。
【００６９】
また、表示器１０５を、タッチディスプレイとしてもよい。その場合、ユーザが、ｃｈストリップ画面３２１に表示されている所望のパラメータをタッチすることにより、そのパラメータをノブ３１１にアサインできるようにするとよい。
【００７０】
さらに、ＥＱ５０３は、グラフィックイコライザとはパラメータ構成が異なるパラメトリックイコライザであってもよい。
【符号の説明】
【００７１】
１０１…中央処理装置（ＣＰＵ）、１０２…フラッシュメモリ、１０３…ＲＡＭ（ランダムアクセスメモリ）、１０４…表示器Ｉ／Ｏ、１０５…外部表示器、１０６…その他Ｉ／Ｏ、１０７…電動フェーダ、１０８…操作子、１０９…波形Ｉ／Ｏ、１１０…信号処理部（ＤＳＰ）、１２０…バスライン。
【図１】
0005961980.tif 000002
【図２】
0005961980.tif 000003
【図３】
0005961980.tif 000004
【図４】
0005961980.tif 000005
【図５】
0005961980.tif 000006
【図６】
0005961980.tif 000007
【図７】
0005961980.tif 000008
【図８】
0005961980.tif 000009
【図９】
0005961980.tif 000010
【図１０】
0005961980.tif 000011
【図１１】
0005961980.tif 000012
【図１２】
0005961980.tif 000013